(57)【要約】      （修正有）【課題】建設現場等の屋外に無造作に置いている鉄板等の建設資材、農家の倉庫に積んであるお米等の盗難被害を抑止しようとする資材盗難防止装置を提供する。【解決手段】建設現場等の鉄板や銅線、農家の倉庫に積まれておいてあるお米等に電線を巻きつけ途中にセンサーを１個または複数個取り付け、電線を切る、コネクターをはずす、電線を引っ張る、センサーを動かす、警報通報装置を動かす等の動作により、断線警報回路が働き、警報、通報ができ、盗難を未然に防ぐものである。【選択図】図９
0003174109.tif 000002
【実用新案登録請求の範囲】
【請求項１】
複数の電線を資材に巻きつけ、それらを接続するコネクターと警報通報装置からなり、電線を切るか、コネクターをはずすか、電線を引っ張るか又は警報通報装置を動かすと警報を発する仕組みの資材盗難防止装置。
【請求項２】
上記の資材盗難防止装置において、警報通報装置の中に携帯電話又は電波送信機を内蔵させて遠方に通報する仕組みの資材盗難防止装置。
【考案の詳細な説明】
【技術分野】
【産業上の利用分野】
【０００１】この考案は屋外に無造作に置いてある建設現場等の屋外の高価な鉄骨やステンレス製品、銅製品等の盗難被害を防止する目的に使用される。安易に開閉できる建設現場の簡易な門扉を開け、トラックで乗りこんで大量の資材が盗まれる被害が増加している。具体的には次のような場所で利用される。
▲１▼建設現場や工場の鉄骨、鉄板、その他の資材の盗難防止。
▲２▼農家の倉庫の出荷前のお米や作物の盗難防止。
▲３▼トラックの積み荷の盗難防止。
▲４▼工場の屋外に置かれている資材の盗難防止。
【背景技術】
【０００２】従来より屋外に置かれた資源や製品の防犯対策には、赤外線ビームセンサーや監視カメラ、テープスイッチ、シートスイッチ等を利用している。
赤外線ビームセンサーは障害物のない広いエリアに効果的であるが風によるごみや落ち葉、動物による誤作動が多かった。又、電流を多く消費するため、ＡＣ１００Ｖ電源等の大きい容量の電源が必要であった。そして設置工事には多額の費用がかかった。監視カメラは威嚇効果があるが盗まれた後の画面では盗まれたものを取り戻すことは難しい。また人が踏んだ圧力でスイッチが入るテープセンサーやシートセンサーは境界線に敷設するセンサーであり、泥棒はスイッチの部分を避けて通ることが多く、また動物等による誤作動が多い。また製品全体をカバーするには多額の費用がかかる。
【考案が解決しようとしている課題】
【０００３】建設現場に置かれている多くの資材は鉄板等、大型製品が多く、屋内に置いておくことは不可能で屋外に雨ざらしにしている場合が多い。又、広大な場所が多く、監視人を置くことはコストがかかり現実的には問題が多い。
【課題を解決するための手段】
【０００４】図２においてコネクター付き電線（７）を鉄板（５）等、建設資材の上に置かれた馬柵（６）に巻きつけ、馬柵を動かすことにより警報通報装置（８）を働かせ、鉄板等の資材を守るものである。
すなわち、次のような行為によりセンサーが働き警報を出して威嚇し通報するものである。
▲１▼電線を切ると断線センサーが働き警報通報回路が働く。
▲２▼電線をつないでいるコネクターをはずすと断線状態になり警報通報回路が働く。
▲３▼電線を引っ張ると傾斜センサー（９）が働き電線状態となり警報通報回路が働く。
▲４▼警報通報装置を動かすとリミットスイッチが働き断線状態となり警報通報回路が働く。
【考案の効果】
【０００５】本装置は１００Ｖ電源が不要で電線は特殊なものを使用する必要はなく通常の電線が使用可能であるため、安価に構築できる。鳥や落ち葉、風等による誤作動も少ないため、いろいろな現場で使用できる。
【実施例】
【０００６】図２は建設現場の鉄板の盗難防止のための設置例である。
設置手順は以下のとおりである。
▲１▼警報通報装置（８）を馬柵（６）の下の見えにくい位置に設置する。
▲２▼適当な長さのコネクター付きの電線（７）を鉄板の上に置かれた馬柵のパイプに適当に巻きつける。
▲３▼電線（７）は複数個使用し、それぞれが直列につながるようにコネクターで接続する。
▲４▼傾斜センサー（９）を電線の先端に接続しそれぞれは直列になるようにコネクターで接続する。
▲５▼傾斜センサーは電線がたるまないような位置に地面に差すか、鉄板の上にマグネットで固定する。
▲６▼警報通報装置のスイッチをＯＮにすれば準備完了となる。
▲７▼電線を引っ張る、切る、コネクターをはずす、警報通報装置を動かす等の動作で警報通報装置が働くか、確認をする。【０００７】図３はフェンスの門扉に取り付けた例である。
設置手順は次の通りである。
▲１▼警報通報装置（１５）を適当な場所に置く。
▲２▼複数のコネクター付きの電線（１４）をフェンスの固定部と可動部にわたって巻きつける。
▲３▼電線の先端には傾斜センサー（１３）を取り付けそれぞれがピンと張るように傾斜センサーを地面に差し込むか、鉄の上にマグネットで取り付け固定する。
▲４▼警報通報装置のスイッチをＯＮにすれば準備完了となる。
▲５▼電線を引っ張る、切る、コネクターをはずす、警報通報装置を動かす等の動作で警報通報装置が働くか、確認をする。【０００８】図４はセンサー部分と警報通報装置を別置きに設置した例である。
設置手順は次のとおりである。
▲１▼センサー連動送信ユニット（２２）を馬柵（１７）の下の見えにくい位置に設置する。
▲２▼適当な長さのコネクター付きの電線（１８）を鉄板（１６）の上に置かれた馬柵のパイプに適当に巻きつける。
▲３▼電線は複数個使用し、それぞれが直列につながるようにコネクターで接続する。
▲４▼傾斜センサー（１９）を電線の先端に接続しそれぞれは直列になるようにコネクターで接続する。
▲５▼傾斜センサーは電線がたるまないような位置に地面に差すか、または鉄板の上にマグネットで固定する。
▲６▼センサー連動送信ユニットと受信機内蔵の警報通報装置のスイッチをＯＮにすれば準備完了となる。
▲７▼電線を引っ張る、切る、コネクターをはずす等の動作で、センサー連動送信ユニット（２２）が電波を送信し、別置きの受信機内蔵の警報通報装置（２０）が働くか、確認をする。
この方式は１台の警報通報装置で複数の盗難対象物に設置が可能で盗難対象物が多い場合はコストダウンとなる。
【産業上の利用可能性】
【０００９】建設現場等では無造作に置かれている鉄板や電線等の建設資材の盗難が相次ぎ社会問題となっている。トラックで現場の乗り込み大量に盗んでいく常習犯もいる。企業にとってはその貴重な財産を守るための警備費用は相当なものとなる。本装置は建設現場等の容易に侵入できる施設に侵入して、建設資材や重機の盗難を最小の費用で防止するための装置である。また農家では無人倉庫のお米の盗難防止や高価な農産物の盗難防止に役立てることができる。
【図面の簡単な説明】
【００１０】
【図１】本考案の取り付け前の各機器の接続例である。
【図２】本考案の鉄板上に取り付けた例である。
【図３】本考案のフェンス式簡易扉に取り付けた例である。
【図４】本考案のセンサーと警報通報装置を分離設置した例である。
【図５】本考案の傾斜センサーが働いた時の動作説明である。
【図６】本考案の警報通報装置の外観図のイメージである。
【図７】本考案の警報通報装置内部のイメージである。
【図８】本考案の警報通報装置中蓋内部のイメージである。
【図９】本考案の動作原理図である。
【図１０】警報通報装置２台と電線センサー２組を組み合わせて使用した場合の接続図である。
【符号の説明】
【００１１】１，８，１５，２０                                警報通報装置
２，１４，２５，４７，４９                        電線
３，９，１３，１９，２４，２７，４５，４６，４８  傾斜センサー
４，１０，１２，２８                              コネクター
５，１６                                          鉄板
６，１７                                          馬柵
７，１８，                                        電線
１１，２３                                        フェンス式簡易扉
２１                                              電波
２２，２６                                        センサー連動送信機
２９，３７                                        充電コネクター
３０，３８                                        電線コネクター
３１                                              キースイッチ
３２                                              充電器
３３                                              制御基板
３４                                              フラッシュランプ
３５                                              警報器
３６                                              低電圧警報器
３９                                              バッテリー
４０                                              バッテリーチェッカー
４１                                              電源スイッチ
４２                                              電源ユニット
４３                                              携帯電話
４４                                              通報ユニット
【図１】
0003174109.tif 000003
【図２】
0003174109.tif 000004
【図３】
0003174109.tif 000005
【図４】
0003174109.tif 000006
【図５】
0003174109.tif 000007
【図６】
0003174109.tif 000008
【図７】
0003174109.tif 000009
【図８】
0003174109.tif 000010
【図９】
0003174109.tif 000011
【図１０】
0003174109.tif 000012
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
盗難防止の対象である資材に巻きつけるための複数の電線と、該複数の電線を直列になるように接続するためのコネクター及び傾斜センサーと、警報通報装置からなる資材盗難防止装置であって、
上記コネクターは、はずれることによって、上記複数の電線を断線状態にするものであり、
上記傾斜センサーは、上記コネクター以外の電線の接続箇所に設けられるものであって、上記電線を引っ張ることによって働いて、上記複数の電線を断線状態にするものであり、
上記警報通報装置は、上記複数の電線が断線状態になることによって、警報を発するものである、資材盗難防止装置。
【請求項２】
上記警報通報装置の中に、遠方に通報するための携帯電話又は電波送信機を内蔵させてなる請求項１に記載の資材盗難防止装置。
【手続補正２】
【補正対象書類名】明細書
【補正対象項目名】０００４
【補正方法】変更
【補正の内容】
【０００４】
本考案は、以下のものである。
［１］ 盗難防止の対象である資材に巻きつけるための複数の電線と、該複数の電線を直列になるように接続するためのコネクター及び傾斜センサーと、警報通報装置からなる資材盗難防止装置であって、上記コネクターは、はずれることによって、上記複数の電線を断線状態にするものであり、上記傾斜センサーは、上記コネクター以外の電線の接続箇所に設けられるものであって、上記電線を引っ張ることによって働いて、上記複数の電線を断線状態にするものであり、上記警報通報装置は、上記複数の電線が断線状態になることによって、警報を発するものである、資材盗難防止装置。
［２］ 上記警報通報装置の中に、遠方に通報するための携帯電話又は電波送信機を内蔵させてなる上記［１］に記載の資材盗難防止装置。
図２においてコネクター付き電線（７）を鉄板（５）等、建設資材の上に置かれた馬柵（６）に巻きつけ、馬柵を動かすことにより警報通報装置（８）を働かせ、鉄板等の資材を守るものである。
すなわち、次のような行為によりセンサーが働き警報を出して威嚇し通報するものである。
（１）電線を切ると断線センサーが働き警報通報回路が働く。
（２）電線をつないでいるコネクターをはずすと断線状態になり警報通報回路が働く。
（３）電線を引っ張ると傾斜センサー（９）が働き断線状態となり警報通報回路が働く。
（４）警報通報装置を動かすとリミットスイッチが働き断線状態となり警報通報回路が働く。